(57)【要約】【課題】太陽電池モジュールに入射した光の発電への寄与を高める技術を提供する。【解決手段】太陽電池モジュール１０、光起電力装置１２と、光起電力装置１２の周囲の少なくとも一部に設けられ、入射した光の光路を変化させる光路変化部材と、光起電力装置１２および光路変化部材を覆うように配設されている絶縁性の透光性部材１６と、を備える。光路変化部材は、透光性部材１６の端部領域と対向する位置に設けられ、端部領域に入射し透過した光の少なくとも一部が光起電力装置１２に向かうように構成されている。【選択図】図４
2014157846.tif 000002
【特許請求の範囲】
【請求項１】
光起電力装置と、
前記光起電力装置の周囲の少なくとも一部に設けられ、入射した光の光路を変化させる光路変化部材と、
前記光起電力装置および前記光路変化部材を覆うように配設されている絶縁性の透光性部材と、を備え、
前記光路変化部材は、前記透光性部材の端部領域と対向する位置に設けられ、前記端部領域に入射し透過した光の少なくとも一部が前記光起電力装置に向かうように構成されていることを特徴とする太陽電池モジュール。
【請求項２】
前記光路変化部材は、前記透光性部材と対向する側に凹凸形状の表面を有することを特徴とする請求項１に記載の太陽電池モジュール。
【請求項３】
前記凹凸形状は、光起電力装置の外縁から太陽電池モジュールの外縁に向かう方向へ凹面と凸面とが周期的に形成されている形状を含むことを特徴とする請求項２に記載の太陽電池モジュール。
【請求項４】
前記凹凸形状は、前記光起電力装置の外縁に沿って延在している複数の線条凸部を有し、
前記線条凸部は、少なくとも一部が曲面で構成されていることを特徴とする請求項２または３に記載の太陽電池モジュール。
【請求項５】
前記光路変化部材の前記透光性部材と対向する側と反対側に、前記光路変化部材を透過した光を反射する反射体を備えたことを特徴とする請求項１乃至４のいずれか１項に記載の太陽電池モジュール。
【請求項６】
前記透光性部材は、受光面の外縁に、外部から光が入射する入射部を有することを特徴とする請求項１乃至５のいずれか１項に記載の太陽電池モジュール。
【発明の詳細な説明】
【技術分野】
【０００１】
本発明は、太陽電池モジュールに関する。
【背景技術】
【０００２】
従来、光エネルギーを電気エネルギーに変換する光電変換装置として、いわゆる太陽電池の開発が各方面で精力的に行われている。太陽電池は、クリーンで無尽蔵なエネルギー源である太陽からの光を直接電気に変換できることから、新しいエネルギー源として期待されている。例えば、非晶質シリコン太陽電池層を２枚のガラスで挟み込んだ太陽電池モジュールが考案されている（特許文献１参照）。
【先行技術文献】
【特許文献】
【０００３】
【特許文献１】特開２００１−３２６３７２号公報
【発明の概要】
【発明が解決しようとする課題】
【０００４】
しかしながら、前述の太陽電池モジュールは、端部領域に太陽電池層が配置されていないため、端部領域に入射した太陽光は発電に寄与しない。そのため、更なる改善の余地がある。
【０００５】
本発明はこうした状況に鑑みてなされたものであり、その目的とするところは、太陽電池モジュールに入射した光の発電への寄与を高める技術を提供することにある。
【課題を解決するための手段】
【０００６】
上記課題を解決するために、本発明のある態様の太陽電池モジュールは、光起電力装置と、光起電力装置の周囲の少なくとも一部に設けられ、入射した光の光路を変化させる光路変化部材と、光起電力装置および光路変化部材を覆うように配設されている絶縁性の透光性部材と、を備える。光路変化部材は、透光性部材の端部領域と対向する位置に設けられ、端部領域に入射し透過した光の少なくとも一部が光起電力装置に向かうように構成されている。
【発明の効果】
【０００７】
本発明によれば、太陽電池モジュールに入射した光の発電への寄与を高めることができる。
【図面の簡単な説明】
【０００８】
【図１】本実施の形態に係る太陽電池モジュールを受光面と反対側から見た場合の上面図である。
【図２】図１に示す太陽電池モジュールのＡ−Ａ断面図である。
【図３】光起電力素子の一例を示す概略断面図である。
【図４】図２に示す太陽電池モジュールの外縁部の拡大断面図である。
【図５】透光性部材と対向する側の、散乱体の表面の顕微鏡像を示す図である。
【図６】図５に示す散乱体のＢ−Ｂ断面における表面形状を示すグラフである。
【図７】第２の実施の形態に係る太陽電池モジュールの外縁部の拡大断面図である。
【図８】第３の実施の形態に係る太陽電池モジュールの外縁部の拡大断面図である。
【図９】第４の実施の形態に係る太陽電池モジュールの外縁部の拡大断面図である。
【図１０】第５の実施の形態に係る太陽電池モジュールの外縁部の拡大断面図である。
【図１１】第６の実施の形態に係る太陽電池モジュールの外縁部の拡大断面図である。
【図１２】第７の実施の形態に係る散乱体の断面を示す模式図である。
【発明を実施するための形態】
【０００９】
以下、図面を参照しながら、本発明を実施するための形態について詳細に説明する。なお、図面の説明において同一の要素には同一の符号を付し、重複する説明を適宜省略する。
【００１０】
以下の各図に示す各層、各部の縮尺や形状は、説明を容易にするために便宜的に設定されており、特に言及がない限り限定的に解釈されるものではない。
【００１１】
（第１の実施の形態）
図１は、本実施の形態に係る太陽電池モジュールを受光面と反対側から見た場合の上面図である。図２は、図１に示す太陽電池モジュールのＡ−Ａ断面図である。なお、図１では、封止材および保護材は省略してある。
【００１２】
太陽電池モジュール１０は、光起電力装置１２、散乱体１４、透光性部材１６、絶縁体２０、インターコネクタ２２、充填剤２４および保護材２６を備える。
【００１３】
光起電力装置１２は、長方形の平板またはフィルム状のユニットであり、複数の光起電力素子２８が整列した状態で配置されている。それぞれの光起電力素子２８は、互いに直列または並列に適宜接続されている。
【００１４】
透光性部材１６は、光を透過させる材料で構成されており、受光面１６ａと反対側の裏面１６ｂ上に、光起電力装置１２として複数の光起電力素子２８が形成されている。また、光起電力装置１２が形成されている領域の周囲の非発電領域（端部領域）と対向する位置には、散乱体１４が光起電力装置１２を取り囲むように設けられている。なお、散乱体１４は、光起電力装置１２の周囲の全てに配置されている必要はなく、光起電力装置１２の周囲の少なくとも一部に設けられていてもよい。
【００１５】
また、散乱体１４は、入射した光の光路を変化させる光路変化部材として機能する。なお、光路変化部材としては、光を散乱する散乱体、光を反射する反射体、光を屈折する屈折体、およびそれらの複合体など、入射した光の光路を変化させるものであれば採用し得る。
【００１６】
このように、透光性部材１６は、受光面１６ａを真正面から見た場合、光起電力装置１２および散乱体１４を覆うように配設されている。なお、透光性部材１６としては、絶縁性を有するガラス、プラスチックなどを用いることができ、特に太陽光に含まれる波長の光に対する透過率が高い材料が好適である。
【００１７】
次に、光起電力素子２８について説明する。図３は、光起電力素子の一例を示す概略断面図である。光起電力素子２８は、第１電極層３０、半導体層３２、透明導電膜３４および第２電極層３６を有する。第１電極層３０、半導体層３２、透明導電膜３４および第２電極層３６は、周知のレーザパターニングを施されながら透光性部材１６上に順次積層される。
【００１８】
第１電極層３０は、透光性部材１６の面上に形成されており、導電性および透光性を有する。本実施の形態に係る第１電極層３０としては、高い光透過性、低抵抗性を有し、低価格であるＺｎＯが用いられる。
【００１９】
半導体層３２は、第１電極層３０側からの入射光により電荷（電子および正孔）を生成する。半導体層３２としては、例えば、ｐｉｎ接合またはｐｎ接合を基本構造として有するアモルファスシリコン半導体層や微結晶シリコン半導体層の単層体あるいは積層体を用いることができる。本実施の形態に係る半導体層３２は、第１電極層３０側からそれぞれ非晶質シリコン半導体、微結晶シリコン半導体が積層されたものとして構成されている。なお、本明細書において、「微結晶」の用語は、完全な結晶状態のみならず、部分的に非結晶状態を含む状態をも意味するものとする。
【００２０】
透明導電膜３４は、半導体層３２上に形成されている。透明導電膜３４により、半導体層３２と第２電極層３６が合金化することが防止され、半導体層３２と第２電極層３６との接続抵抗を減少させることができる。
【００２１】
第２電極層３６は、透明導電膜３４上に形成される。一の光起電力素子２８の透明導電膜３４と第２電極層３６は、隣接する他の光起電力素子２８の第１電極層３０に接触する。これにより、一の光起電力素子２８と他の光起電力素子２８とが電気的に直列に接続される。
【００２２】
インターコネクタ２２は、このように直列に接続された複数の光起電力素子２８によって生成される電荷を、太陽電池モジュール１０の外部に導く。インターコネクタ２２は、直列に接続された複数の光起電力素子２８のうち両端にある光起電力素子２８と導通する導通部２２ａを有する。インターコネクタ２２としては、銅などの低抵抗率の材料が好ましい。なお、インターコネクタ２２と複数の光起電力素子２８との間の所定の領域には絶縁体２０が配置され、インターコネクタ２２の引き出し配線２２ｂと複数の光起電力素子２８とが部分的に絶縁される。
【００２３】
充填剤２４は、光起電力装置１２、散乱体１４およびインターコネクタ２２を、透光性部材１６と保護材２６との間に封止し、光起電力素子２８に加えられる衝撃を緩衝するように配置される。本実施の形態では、充填剤２４としてＥＶＡを用いる。保護材２６は、充填剤２４上に配置される。本実施形態では、保護材２６としてガラスを用いる。
【００２４】
充填剤２４および保護材２６には貫通孔３８が設けられている。インターコネクタ２２の引き出し配線２２ｂの一方の端部は、貫通孔３８から外部に引き出され、端子ボックス４０に接続されている。
【００２５】
次に、本実施の形態に係る散乱体について図４を参照して更に詳述する。図４は、図２に示す太陽電池モジュールの外縁部の拡大断面図である。
【００２６】
図４に示すように、散乱体１４は、受光面１６ａの端部領域Ｒに入射し透光性部材１６を透過した光の少なくとも一部が光起電力装置１２に向けて散乱されるように構成されている。これにより、受光面１６ａから透光性部材１６に入射した光のうち、太陽電池モジュールの外周部に存在する端部領域に入射したために光起電力装置１２に直接入射しなかった光Ｌは、散乱体１４により散乱される。そして、散乱された光の少なくとも一部は、透光性部材１６における内面反射により、発電領域である光起電力装置１２に入射することとなる。その結果、太陽電池モジュール１０に入射した光の発電への寄与を高めることができる。
【００２７】
なお、太陽電池モジュール１０は、その外周壁に反射体４２を設けてもよい。これにより、散乱体１４において散乱した光のうち、光起電力装置１２に向かって散乱せず外側へ向かって散乱した光Ｌ’であっても、反射体４２により光起電力装置１２に向かって再度反射させることができる。その結果、太陽電池モジュール１０に入射した光の発電への寄与を更に高めることができる。なお、反射体４２は、透光性部材１６よりも反射率の高い材料で構成されている。
【００２８】
また、本実施の形態に係る太陽電池モジュール１０は、透光性部材１６の受光面の一部や側面を覆うことで耐衝撃性や強度を高めるフレームを設けていない。そのため、本実施の形態に係る透光性部材１６においては、受光面１６ａの外縁領域Ｒ１に、外部から光が入射する入射部１６ａ１を設けることができる。このようにフレームを省略することで、太陽電池モジュールの軽量化、簡素化が図られるだけでなく、フレームによって遮られていた光を太陽電池モジュール内に取り込むことができる。
【００２９】
図５は、透光性部材１６と対向する側の、散乱体１４の表面の顕微鏡像を示す図である。図６は、図５に示す散乱体のＢ−Ｂ断面における表面形状を示すグラフである。
【００３０】
図５、図６に示すように、散乱体１４は、透光性部材１６と対向する側に凹凸形状の表面を有する。散乱体１４は、例えば、アクリル樹脂（屈折率１．３〜１．５程度）などの透明な材料が好ましく、型などにより成型されたものが用いられる。これにより、散乱を生ずる所定の凹凸形状を有する散乱体を容易に量産することができる。なお、散乱体は、金属やガラスなどで構成してもよい。また、散乱体は、樹脂、金属、ガラスなどの複合体であってもよい。また、散乱体の凹凸表面に反射膜を設けてもよい。
【００３１】
また、散乱体１４は、水分や外部のガスが光起電力装置１２に到達しないように、少なくとも充填剤２４よりも水分やガスが透過しにくい材料で構成するとよい。これにより、散乱体がない場合と比較して、太陽電池モジュールの耐環境性能を高めることができる。
【００３２】
散乱体１４の凹凸形状は、光起電力装置１２の外縁（四辺）１２ａから太陽電池モジュール１０の外縁（四辺）１０ａに向かう方向Ｘへ凹面と凸面とが周期的に形成されているとよい。これにより、散乱の制御が容易となる。本実施の形態に係る散乱体１４においては、図４乃至図６に示すように、前述の凹凸形状は、光起電力装置１２の外縁１２ａに沿って略平行に延在している複数の線条凸部１４ａを有する。線条凸部１４ａは、少なくとも一部が曲面で構成されているとよい。本実施の形態では、線条凸部１４ａはアーチ形状を有している。また、線条凸部１４ａは、隣接する線条凸部１４ａとの間隔が１〜１０μｍが好ましい。なお、散乱体１４の断面形状は、前述のように、円の一部を切り取ったアーチ形状以外にも、逆アーチ形状、三角形状、矩形状等であってもよい。
【００３３】
これにより、散乱体１４に到達した光は、凹凸形状の表面において、光起電力装置１２の外縁１２ａと交差する方向への散乱は生じつつ、外縁１２ａと平行な方向への散乱が生じにくくなる。つまり、光起電力装置１２に直接入射せずに散乱体１４に到達した光が、光起電力装置１２に向かって散乱せずに太陽電池モジュール１０の外部へ漏れ出ることが抑制される。
【００３４】
（実施例）
以上の実施の形態に基づいて実施例に係る太陽電池モジュールを作製し、開放電圧Ｖｏｃ、短絡電流Ｉｓｃ、曲線因子Ｆ．Ｆ．、最大出力Ｐｍａｘ、モジュール変換効率η＿ｍｏｄｕｌｅ、をそれぞれ求めた。実施例に係る太陽電池モジュールは、第５世代といわれるサイズの大型のガラス基板（１１００ｍｍ×１３００ｍｍ）を用いている。散乱体１４は、２枚のガラス基板の外周部（非発電領域）に相当する貼合面において挟まれている。散乱体１４は、ガラス基板の２つの短辺（長さ１１００ｍｍの辺）に沿って幅１０ｍｍに渡って設けられている。なお、散乱体１４は、ガラス基板の２つの長辺（長さ１３００ｍｍの辺）に沿っては設けられていない。実施例に係る散乱体１４における線条凸部１４ａは、図６に示すように、隣接する線条凸部との間隔が約１０μｍ、高低差が約２μｍである。
【００３５】
（比較例）
実施例に係る太陽電池モジュールと同様にして比較例に係る太陽電池モジュールを作製した。ただし、散乱体は設けなかった。
【００３６】
実施例については同じサンプルを３つ、比較例については同じサンプルを４つ作製し、それぞれについてモジュールの特性を測定した。その測定結果を表１に示す。
【００３７】
【表１】
2014157846.tif 000003
【００３８】
表１に示すように、実施例に係る太陽電池モジュールの短絡電流Ｉｓｃは、平均値が１．４４７［Ａ］であり、比較例に係る太陽電池モジュールの短絡電流Ｉｓｃは、平均値が１．４３３［Ａ］であった。したがって、実施例に係る太陽電池モジュールは、散乱体の働きにより短絡電流Ｉｓｃが約１％向上した。
【００３９】
（第２の実施の形態）
以下では、主として第１の実施の形態に係る太陽電池モジュール１０と異なる構成について説明し、重複する構成については説明を適宜省略する。図７は、第２の実施の形態に係る太陽電池モジュールの外縁部の拡大断面図である。
【００４０】
第２の実施の形態に係る太陽電池モジュール５０は、散乱体１４の裏面側（線条凸部１４ａが設けられている面と反対側）に反射体５２が設けられている点が大きな特徴である。反射体５２は、散乱体１４の透光性部材１６と対向する側と反対側に設けられており、散乱体１４の表面で散乱せずに散乱体１４を透過した光を反射する。反射された光は、再度透光性部材１６に入射することで、少なくともその一部は光起電力装置１２に向かうことになる。その結果、反射体５２は、太陽電池モジュール５０に入射した光の発電への寄与を更に高めることができる。なお、反射体５２は、散乱体１４の材料よりも反射率の高い材料で構成されている。
【００４１】
（第３の実施の形態）
図８は、第３の実施の形態に係る太陽電池モジュールの外縁部の拡大断面図である。第３の実施の形態に係る太陽電池モジュール６０は、保護材２６の裏面側（充填剤２４で覆われている面と反対側）に反射体６２が設けられている点が大きな特徴である。反射体６２は、散乱体１４の透光性部材１６と対向する側と反対側に保護材２６を挟んで設けられており、散乱体１４の表面で散乱せずに散乱体１４および保護材２６を透過した光を反射する。反射された光は、再度透光性部材１６に入射することで、少なくともその一部は光起電力装置１２に向かうことになる。その結果、反射体６２は、太陽電池モジュール５０に入射した光の発電への寄与を更に高めることができる。
【００４２】
（第４の実施の形態）
図９は、第４の実施の形態に係る太陽電池モジュールの外縁部の拡大断面図である。第４の実施の形態に係る太陽電池モジュール７０は、保護材２６の裏面側（充填剤２４で覆われている面と反対側）に散乱体７２および反射体７４が設けられている点が大きな特徴である。なお、散乱体７２は、第１の実施の形態に係る散乱体１４と形状は同じである。
【００４３】
図９に示すように、散乱体７２は、受光面１６ａから入射し、透光性部材１６、充填剤２４および保護材２６を透過した光の少なくとも一部を透光性部材１６に向けて散乱させるように構成されている。これにより、受光面１６ａから透光性部材１６に入射した光のうち、光起電力装置１２に直接入射しなかった光Ｌは、散乱体７２により散乱され、散乱された光の少なくとも一部は、透光性部材１６における内面反射や全反射などにより、発電領域である光起電力装置１２に入射することとなる。その結果、太陽電池モジュール７０に入射した光の発電への寄与を高めることができる。
【００４４】
反射体７４は、散乱体１４の保護材２６と対向する側と反対側に設けられており、散乱体７２の表面で散乱せずに散乱体７２を透過した光を反射する。反射された光は、再度透光性部材１６に入射することで、少なくともその一部は光起電力装置１２に向かうことになる。その結果、反射体７４は、太陽電池モジュール７０に入射した光の発電への寄与を更に高めることができる。
【００４５】
（第５の実施の形態）
図１０は、第５の実施の形態に係る太陽電池モジュールの外縁部の拡大断面図である。第５の実施の形態に係る太陽電池モジュール８０は、散乱体１４および充填剤２４の外縁部の周囲に封止体８２が設けられている点が大きな特徴である。封止体８２は、ブチルゴム等からなる絶縁性と耐候性を有する樹脂が好適である。特に、封止体８２は、水分やその他のガスに対するバリア性能が高いものがよい。これにより、光起電力装置１２や充填剤２４の経年劣化をより抑制できる。
【００４６】
（第６の実施の形態）
図１１は、第６の実施の形態に係る太陽電池モジュールの外縁部の拡大断面図である。第６の実施の形態に係る太陽電池モジュール９０は、透光性部材１６および透光性部材９２により光起電力装置１２を挟み込んでいる。本実施の形態では、透光性部材９２はガラスである。透光性部材９２の、透光性部材１６と接する面の反対側の裏面９２ａ側には、楔状反射体９４が設けられている。
【００４７】
楔状反射体９４は、その厚みが、太陽電池モジュール９０の外縁から光起電力装置１２の外縁１２ａに向かって厚くなるよう構成されており、透光性部材９２の裏面９２ａに対して斜めになるように反射面９４ａが形成されている。したがって、受光面１６ａから入射し透光性部材１６および透光性部材９２を透過した光は、反射面９４ａによって反射されることで、太陽電池モジュール９０の中央部にある光起電力装置１２に向かいやすくなる。
【００４８】
また、透光性部材１６の受光面１６ａには、複数の反射体９６が設けられている。反射体９６は、楔状反射体９４の反射面９４ａにより反射された光を再度反射することで、光起電力装置１２に入射する光を増大させることができる。複数の反射体９６は、受光面１６ａ上にドット状またはストライプ状に配置されている。
【００４９】
受光面１６ａ上で反射体９６が占める割合が増えると、透光性部材１６に入射する光が減少してしまう一方、反射体９６が占める割合が減ると、楔状反射体９４で反射した光を再度反射する光の量が減少してしまう。この点を考慮して、光起電力装置１２に直接入射しなかった光Ｌが少しでも多く光起電力装置１２で電気に変換されるように、反射体９６の大きさや配置を設定するとよい。なお、楔状反射体９４の反射面９４ａと透光性部材９２の裏面９２ａとの間の領域９４ｂは、透明な材料で構成されているが、この領域９４ｂが中空であってもよい。
【００５０】
（第７の実施の形態）
上述の各実施の形態における散乱体は、光の散乱を散乱体の表面形状の工夫によって達成している。本実施の形態では、散乱体の屈折率を部分的に変化させることで光の散乱を実現している。
【００５１】
図１２は、第７の実施の形態に係る散乱体の断面を示す模式図である。本実施の形態に係る散乱体１００は、光起電力装置の外縁側から太陽電池モジュールの外縁側に向かう方向Ｘへ周期的に屈折率が異なるように構成されている。具体的には、散乱体１００は、相対的に屈折率の高い領域１００ａと相対的に屈折率の低い領域１００ｂとが交互に並んでいるように構成されている。
【００５２】
なお、本実施の形態に係る散乱体１００は、例えば、図４などに示す散乱体１４の代わりとして用いられる。これにより、散乱体１００を備えた太陽電池モジュールは、上述の各実施の形態に係る太陽電池モジュールと同様の機能を発揮できる。
【００５３】
以上、本発明を上述の各実施の形態を参照して説明したが、本発明は上述の実施の形態に限定されるものではなく、実施の形態の構成を適宜組み合わせたものや置換したものについても本発明に含まれるものである。また、当業者の知識に基づいて実施の形態における組合せや処理の順番を適宜組み替えることや各種の設計変更等の変形を実施の形態に対して加えることも可能であり、そのような変形が加えられた実施の形態も本発明の範囲に含まれうる。
【００５４】
上述の各実施の形態に係る第１電極層３０としては、ＺｎＯの他、ＳｎＯ２、Ｉｎ２Ｏ３、ＴｉＯ２、Ｚｎ２ＳｎＯ４などのの金属酸化物より選択された一種類あるいは複数種類の積層体により構成されていてもよい。なお、これらの金属酸化物には、Ｆ、Ｓｎ、Ａｌ、Ｇａ、Ｎｂなどがドープされていてもよい。
【００５５】
また、上述の充填剤２４としては、ＥＶＡの他、ＥＥＡ等のエチレン系樹脂、ＰＶＢ、シリコーン、ウレタン、アクリル、エポキシ樹脂などを用いてもよい。
【００５６】
また、上述の保護材２６としては、ガラスの他、ＰＥＴ／Ａｌ箔／ＰＥＴからなる積層体、フッ素系樹脂（ＥＴＦＥ、ＰＶＤＦ、ＰＣＴＦＥ等）、ＰＣ、ＰＥＴ、ＰＥＮ、ＰＶＦ、アクリル等の樹脂の単層体や金属箔を挟んだ構造、およびＳＵＳやガルバリウム等の鋼板を用いてもよい。
【００５７】
また、透光性部材１６と保護材２６との間に挟まれている散乱体１４は、太陽電池モジュール全体の強度を高めるために、剛性の高い材料で構成してもよい。また、太陽電池モジュール全体の耐衝撃性を高めるために、衝撃吸収性の高い材料で構成してもよい。
【符号の説明】
【００５８】
１０  太陽電池モジュール、  １２  光起電力装置、  １２ａ  外縁、  １４  散乱体、  １４ａ  線条凸部、  １６  透光性部材、  １６ａ  受光面、  １６ｂ  裏面、  ２０  絶縁体、  ２２  インターコネクタ、  ２４  充填剤、  ２６  保護材、  ２８  光起電力素子、  ３８  貫通孔、  ４０  端子ボックス、  ４２  反射体。
【図１】
2014157846.tif 000004
【図２】
2014157846.tif 000005
【図３】
2014157846.tif 000006
【図４】
2014157846.tif 000007
【図６】
2014157846.tif 000008
【図７】
2014157846.tif 000009
【図８】
2014157846.tif 000010
【図９】
2014157846.tif 000011
【図１０】
2014157846.tif 000012
【図１１】
2014157846.tif 000013
【図１２】
2014157846.tif 000014
【図５】
2014157846.tif 000015